(57)【要約】【課題】移動経路情報により、正確な状況判断を行い利便性を向上させる。【解決手段】送信タイミング設定部１０７１は、メールの自動送信を行うための送信条件として移動元基地局のＩＤ，移動先基地局のＩＤおよびメールの送信タイミングを設定する。移動推移判定部１０７２は、自動メール送信機能を有効とした場合に起動し、基地局から受信する基地局ＩＤを保存し、移動時に基地局ＩＤを受信するたびに保存してある基地局ＩＤと比較する。異なっている場合は移動元基地局のエリア内に所定の閾値期間いたことを確認後、基地局から受信する基地局ＩＤの変化をチェックし、移動先基地局の基地局ＩＤが所定の閾値期間を超えたことを検出したとき、自携帯通信端末の移動先基地局への移動が完了したと判断し、メール送信制御部１０７３により、あらかじめ登録した定型文メールを所定の宛先に自動送信する。【選択図】　　　図２
2004147217.tif 000002
【特許請求の範囲】
【請求項１】
基地局と無線回線を介し通信を行う携帯通信端末であって、基地局から受信する基地局識別符号の推移状態によって自携帯通信端末が所定のエリアに移動したか否かを判断する制御手段を有することを特徴とする携帯通信端末。
【請求項２】
ＧＰＳ機能を有し基地局と無線回線を介し通信を行う携帯通信端末であって、ＧＰＳシステムから受信する位置情報の推移状態によって自携帯通信端末が所定の地点に移動したか否かを判断する制御手段を有することを特徴とする携帯通信端末。
【請求項３】
前記制御手段は、前記推移状態時に位置移動に係わる閾値を満足し、設定した自携帯通信端末の移動が成されたと判断したとき、あらかじめ登録してある定型文メールを所定の宛先に自動送信することを特徴とする請求項１または２記載の携帯通信端末。
【請求項４】
メール送信機能およびスケジュール機能を有し基地局と無線回線を介し通信を行う携帯通信端末であって、
メールの自動送信を行うための送信条件として移動元基地局の識別符号，移動先基地局の識別符号およびメールの送信タイミングを設定する送信タイミング設定部と、
自動メール送信機能を有効とした場合に起動し、基地局から受信する基地局識別符号を保存し、移動時に基地局識別符号を受信するたびに保存してある基地局識別符号と比較し、異なっている場合は前記移動元基地局のエリア内に所定の閾値期間いたことを確認後、基地局から受信する基地局識別符号の変化をチェックし、前記移動先基地局の基地局識別符号が所定の閾値期間を超えたことを検出したとき、自携帯通信端末の前記移動先基地局への移動が完了したと判断する移動推移判定部と、
前記移動推移判定部の移動完了判断により、あらかじめ登録した定型文メールを所定の宛先に自動送信するメール送信制御部と、
を備えることを特徴とする携帯通信端末。
【請求項５】
ＧＰＳ機能，メール送信機能およびスケジュール機能を有し基地局と無線回線を介し通信を行う携帯通信端末であって、
メールの自動送信を行うための送信条件として移動元出発地点の位置情報，移動先送信地点の位置情報およびメールの送信タイミングを設定する送信タイミング設定部と、
自動メール送信機能を有効とした場合に起動し、ＧＰＳシステムから受信する位置情報を保存し、移動時に位置情報を受信するたびに保存してある位置情報と比較し、異なっている場合は前記移動元出発地点に所定の閾値期間いたことを確認後、ＧＰＳシステムから受信する位置情報の変化をチェックし、前記移動先送信地点の位置情報が所定の閾値期間を超えたことを検出したとき、自携帯通信端末の前記移動先送信地点への移動が完了したと判断する移動推移判定部と、
前記移動推移判定部の移動完了判断により、あらかじめ登録した定型文メールを所定の宛先に自動送信するメール送信制御部と、
を備えることを特徴とする携帯通信端末。
【請求項６】
前記メール送信制御部は、スケジュール機能によって設定される特定の曜日，時間帯に基づき作動することを特徴とする請求項４または５記載の携帯通信端末。
【請求項７】
基地局と無線回線を介し通信を行う携帯通信端末におけるメール送信方法であって、メールの自動送信を行うための送信条件として移動元基地局の識別符号，移動先基地局の識別符号およびメールの送信タイミングを設定するステップと、自動メール送信機能を有効とした場合に起動し、基地局から受信する基地局識別符号を保存するステップと、移動時に基地局識別符号を受信するたびに保存してある基地局識別符号と比較するステップと、比較結果が異なっている場合は前記移動元基地局のエリア内に所定の閾値期間いたことを確認後、基地局から受信する基地局識別符号の変化をチェックするステップと、前記移動先基地局の基地局識別符号が所定の閾値期間を超えたことを検出したとき、自携帯通信端末の前記移動先基地局への移動が完了したと判断するステップと、この移動完了判断により、あらかじめ登録した定型文メールを所定の宛先に自動送信するステップとを有することを特徴とする携帯通信端末におけるメール送信方法。
【請求項８】
基地局と無線回線を介し通信を行う携帯通信端末におけるメール送信方法であって、メールの自動送信を行うための送信条件として移動元出発地点の位置情報，移動先送信地点の位置情報およびメールの送信タイミングを設定するステップと、自動メール送信機能を有効とした場合に起動し、ＧＰＳシステムから受信する位置情報を保存するステップと、移動時に位置情報を受信するたびに保存してある位置情報と比較するステップと、比較結果が異なっている場合は前記移動元出発地点に所定の閾値期間いたことを確認後、ＧＰＳシステムから受信する位置情報の変化をチェックするステップと、前記移動先送信地点の位置情報が所定の閾値期間を超えたことを検出したとき、自携帯通信端末の前記移動先送信地点への移動が完了したと判断するステップと、この移動完了判断により、あらかじめ登録した定型文メールを所定の宛先に自動送信するステップとを有することを特徴とする携帯通信端末におけるメール送信方法。
【請求項９】
あらかじめスケジュール設定された曜日，時間帯に合致した場合、メールの自動送信を行うことを特徴とする請求項７または８記載の携帯通信端末におけるメール送信方法。
【発明の詳細な説明】
【０００１】
【発明の属する技術分野】
本発明は、携帯電話機等の携帯通信端末に関し、特に携帯通信端末におけるメール自動送信機能に関する。
【０００２】
【従来の技術】
従来、携帯電話端末でのメール自動送信機能は、特定の時刻になった場合、あらかじめ登録した宛先にメール送信することなどでよく知られている。また、基地局固有の情報である基地局の識別符号（以降、ＩＤと略称）の情報で、携帯電話端末のモード設定を変更する技術が開示されている（例えば、特許文献１）。
【０００３】
【特許文献１】
特開２０００−１８８７８１（図２、図３）
【０００４】
【発明が解決しようとする課題】
上述したように従来、基地局ＩＤの情報で携帯電話端末の設定を変更するようなものはあったが、基地局ＩＤの情報だけでは情報が足りないため、設定等の判断がしにくかった。
【０００５】
本発明の目的は、携帯通信端末の移動経路を情報とすることにより、より正確な状況判断を行うことができ、より多くの設定を自動で行うことが可能とし、利便性を向上させることができる携帯通信端末およびそのメール送信方法を提供することにある。
【０００６】
【課題を解決するための手段】
本発明の携帯通信端末は、基地局と無線回線を介し通信を行う携帯通信端末であって、基地局から受信する基地局識別符号の推移状態によって自携帯通信端末が所定のエリアに移動したか否かを判断する制御手段を有する。また、本発明の携帯通信端末は、ＧＰＳ機能を有し基地局と無線回線を介し通信を行う携帯通信端末であって、ＧＰＳシステムから受信する位置情報の推移状態によって自携帯通信端末が所定の地点に移動したか否かを判断する制御手段を有する構成としてもよい。前記制御手段は、前記推移状態時に位置移動に係わる閾値を満足し、設定した自携帯通信端末の移動が成されたと判断したとき、あらかじめ登録してある定型文メールを所定の宛先に自動送信する。
【０００７】
本発明の携帯通信端末は、メール送信機能およびスケジュール機能を有し基地局と無線回線を介し通信を行う携帯通信端末であって、メールの自動送信を行うための送信条件として移動元基地局の識別符号，移動先基地局の識別符号およびメールの送信タイミングを設定する送信タイミング設定部と、自動メール送信機能を有効とした場合に起動し、基地局から受信する基地局識別符号を保存し、移動時に基地局識別符号を受信するたびに保存してある基地局識別符号と比較し、異なっている場合は前記移動元基地局のエリア内に所定の閾値期間いたことを確認後、基地局から受信する基地局識別符号の変化をチェックし、前記移動先基地局の基地局識別符号が所定の閾値期間を超えたことを検出したとき、自携帯通信端末の前記移動先基地局への移動が完了したと判断する移動推移判定部と、前記移動推移判定部の移動完了判断により、あらかじめ登録した定型文メールを所定の宛先に自動送信するメール送信制御部とを備える。前記メール送信制御部は、スケジュール機能によって設定される特定の曜日，時間帯に基づき作動する構成としてもよい。
【０００８】
また、本発明の携帯通信端末は、ＧＰＳ機能，メール送信機能およびスケジュール機能を有し基地局と無線回線を介し通信を行う携帯通信端末であって、メールの自動送信を行うための送信条件として移動元出発地点の位置情報，移動先送信地点の位置情報およびメールの送信タイミングを設定する送信タイミング設定部と、自動メール送信機能を有効とした場合に起動し、ＧＰＳシステムから受信する位置情報を保存し、移動時に位置情報を受信するたびに保存してある位置情報と比較し、異なっている場合は前記移動元出発地点に所定の閾値期間いたことを確認後、ＧＰＳシステムから受信する位置情報の変化をチェックし、前記移動先送信地点の位置情報が所定の閾値期間を超えたことを検出したとき、自携帯通信端末の前記移動先送信地点への移動が完了したと判断する移動推移判定部と、前記移動推移判定部の移動完了判断により、あらかじめ登録した定型文メールを所定の宛先に自動送信するメール送信制御部とを備える。前記メール送信制御部は、スケジュール機能によって設定される特定の曜日，時間帯に基づき作動する構成としてもよい。
【０００９】
本発明の携帯通信端末におけるメール送信方法は、基地局と無線回線を介し通信を行う携帯通信端末におけるメール送信方法であって、メールの自動送信を行うための送信条件として移動元基地局の識別符号，移動先基地局の識別符号およびメールの送信タイミングを設定するステップと、自動メール送信機能を有効とした場合に起動し、基地局から受信する基地局識別符号を保存するステップと、移動時に基地局識別符号を受信するたびに保存してある基地局識別符号と比較するステップと、比較結果が異なっている場合は前記移動元基地局のエリア内に所定の閾値期間いたことを確認後、基地局から受信する基地局識別符号の変化をチェックするステップと、前記移動先基地局の基地局識別符号が所定の閾値期間を超えたことを検出したとき、自携帯通信端末の前記移動先基地局への移動が完了したと判断するステップと、この移動完了判断により、あらかじめ登録した定型文メールを所定の宛先に自動送信するステップとを有する。この場合、あらかじめスケジュール設定された曜日，時間帯に合致した場合、メールの自動送信を行う構成としてもよい。
【００１０】
また、本発明の携帯通信端末におけるメール送信方法は、基地局と無線回線を介し通信を行う携帯通信端末におけるメール送信方法であって、メールの自動送信を行うための送信条件として移動元出発地点の位置情報，移動先送信地点の位置情報およびメールの送信タイミングを設定するステップと、自動メール送信機能を有効とした場合に起動し、ＧＰＳシステムから受信する位置情報を保存するステップと、移動時に位置情報を受信するたびに保存してある位置情報と比較するステップと、比較結果が異なっている場合は前記移動元出発地点に所定の閾値期間いたことを確認後、ＧＰＳシステムから受信する位置情報の変化をチェックするステップと、前記移動先送信地点の位置情報が所定の閾値期間を超えたことを検出したとき、自携帯通信端末の前記移動先送信地点への移動が完了したと判断するステップと、この移動完了判断により、あらかじめ登録した定型文メールを所定の宛先に自動送信するステップとを有する。この場合、あらかじめスケジュール設定された曜日，時間帯に合致した場合、メールの自動送信を行う構成としてもよい。
【００１１】
本発明によれば、あらかじめユーザーの操作により携帯電話端末にメール送信箇所となる基地局ＩＤを記憶させておき、携帯電話端末が基地局から報知された基地局ＩＤがそれらと一致するか否かを比較し、条件が一致した場合あらかじめ指定された送信先に、指定された文章を送信する。また、携帯電話端末のスケジュール機能を利用すれば、特定の曜日，時間を設定することによって、より正確に携帯電話端末の移動とメール送信の関連付けを行うことができる。
【００１２】
【発明の実施の形態】
次に、本発明の第１の実施の形態について図面を参照して詳細に説明する。図１は、携帯電話端末の移動と基地局の推移の例を説明するための図である。無線エリア３０に当初位置し基地局２０を介し通信している携帯電話端末１０が、移動した場合、携帯電話端末１０は、移動中に無線エリアの情報を受信して自分いる位置を判断し、自動的にメールを送信する。この携帯電話端末１０は、メール送信機能およびスケジュール機能を有し基地局と無線回線を介し通信を行う。経路Ａは、携帯電話端末１０が基地局２０から基地局２１を経由し基地局２２の方向へ移動する経路を示し、経路Ｂは、携帯電話端末１０が基地局２２から基地局２１を経由して基地局２０の方向へ移動する経路を示す。また、区間▲１▼は無線エリア３０と無線エリア３１との境界を示し、区間▲２▼は無線エリア３１と無線エリア３２との境界エリアを示す。
【００１３】
図２（ａ）を参照すると、本発明の携帯通信端末の代表的一例である携帯電話端末は、アンテナ１０１と、無線信号の送受信を行う無線部１０２と、この端末の動作制御を行うためのプログラムを格納しておくメモリ１０３と、ユーザーが各種の入力操作を行うためのキーおよびボタンを有する操作パネル１０４と、表示用の液晶ディスプレイ１０５と、スピーカ１０６と、メモリ１０３から読み出したプログラムに基づき携帯電話端末各部を制御する中央制御部１０７とを備える。
【００１４】
図２（ｂ）を参照すると、中央制御部１０７は、送信タイミング設定部１０７１と、移動推移判定部１０７２と、メール送信制御部１０７３とを備える。送信タイミング設定部１０７１は、メールの自動送信を行うための送信条件として移動元基地局のＩＤ，移動先基地局のＩＤおよびメールの送信タイミングを設定する。移動推移判定部１０７２は、自動メール送信機能を有効とした場合に起動し、基地局から受信する基地局ＩＤを保存し、移動時に基地局ＩＤを受信するたびに保存してある基地局ＩＤと比較し、異なっている場合は移動元基地局のエリア内に所定の閾値期間いたことを確認後、基地局から受信する基地局ＩＤの変化をチェックし、移動先基地局の基地局ＩＤが所定の閾値期間を超えたことを検出したとき、自携帯通信端末の移動先基地局への移動が完了したと判断する。メール送信制御部１０７３は、移動推移判定部１０７２の移動完了判断により、あらかじめ登録した定型文メールを所定の宛先に自動送信する。
【００１５】
次に、本発明の第１の実施の形態の動作について図面を参照して説明する。始めに、携帯電話移動機の送信条件の判断について説明する。
【００１６】
メール送信のトリガとして、基地局ＩＤが設定基地局ＩＤ▲１▼から設定基地局ＩＤ▲２▼に切り替わったタイミングを用いることにより、移動の方向性を認識させ、かつ誤ったメール送信を防ぐ。また、基地局の境界では基地局ＩＤが何度か変更する場合もある。図１の経路Ａで無線エリア３１から無線エリア３２に移動した場合にメールを送信したい場合でも、経路Ｂの区間▲２▼の基地局の移り変わる区間にて、一度無線エリア３１に切り替わり、また無線エリア３２に戻ってしまう場合も考えられる。そこで、基地局ＩＤの切り替わり時に、ある一定の閾値を用いて閾値以上の期間、設定された基地局ＩＤの無線エリアに携帯電話端末が存在した場合のみ、携帯電話端末がそのエリアにいたと判断することにより、基地局の無線エリアの境界での判断を誤らないようにする。また、上述した対策により、基地局の境界にて何度もメールを送信しないようにする。
【００１７】
以下に、図１、図３の場合を例にとって説明する。図３（ａ）は図１における移動元基地局、移動先基地局およびメールの送信タイミングを説明するための図である。図３（ｂ）は図１における経路Ａでの携帯電話端末の移動推移を説明するための図である。図３（ｃ）は図１における経路Ｂでの携帯電話端末の移動推移を説明するための図である。
【００１８】
ここでは、移動元基地局を設定基地局▲１▼：３１、移動先基地局を設定基地局ＩＤ▲２▼：３２とし、送信タイミングは▲１▼から▲２▼に変わったときとする。時系列３以上の期間にわたり同じエリアにいた場合、例えば図３（ｂ）では、時系列３，４，５の期間のように、無線エリア３１にいると判断するような閾値を設定し、基地局２１のエリアから基地局２２のエリアに移動した場合を送信タイミングと設定する。基準としては一定の方向に移動しているときに、無線エリアが逆の方向に後戻りすることが想定されるため、きちんとエリアを移動したことを確定させる必要がある。具体的な値としては、エリアの無線状態や移動経路等により変わってくるため、例えば、開発者が実際に基地局の境目にて移動をしながらＢＴＳ（基地局）情報を測定し、適正値を算出してその情報を製造時携帯電話端末に組み込む。
【００１９】
まず、経路Ａの場合は、図３（ｂ）の時系列５の時点で、携帯電話端末が基地局２１のエリアに入ったと判断し、その後に基地局２１と基地局２２のエリアを多少ふらつくが、閾値である時系列３以上の期間、基地局２２のエリアにいた図３（ｂ）の時系列１０の時点で、基地局２２のエリアに移動したと判断し、自動メールを送信する。次に、経路Ｂの場合について説明すると、図３（ｃ）において時系列２→３、時系列４→５にて基地局２１のエリアから基地局２２のエリアに移動しているが、上述した閾値を用いることにより、安定しない箇所では携帯電話端末が移動したと判断しないため、誤ってメールを送信することはない。
【００２０】
次に、携帯電話端末での処理フローを図４および図５に示す。図４はＰＨＡＳＥ１：設定基地局ＩＤ▲１▼を検出するまでの動作を表し、図５はＰＨＳＥ２：設定基地局ＩＤ▲１▼を検出後の動作を表す。
【００２１】
まず、図４のＰＨＡＳＥ１について説明する。携帯電話端末は自動メール送信機能がＯＮ、すなわち有効とされている場合、受信した基地局ＩＤを保存しておき（ステップ４１：Ｓ４１と略称、以降同様）、基地局情報を受信するたびに保存してある基地局ＩＤとの比較を行い（Ｓ４２）、基地局ＩＤが変更していた場合は保存してある基地局情報をチェックする（Ｓ４３）。一定の閾値以上の期間、設定基地局ＩＤ▲１▼にいた場合は（Ｓ４４）、設定基地局ＩＤ▲２▼へ移動したか否かのチェックを行うＰＨＡＳＥ２へ移行する（Ｓ４５）。それ以外の場合は引き続きＰＨＡＳＥ１の設定基地局ＩＤ▲１▼の検出を行う。
【００２２】
次に、図５のＰＨＡＳＥ２について説明する。ＰＨＡＳＥ１と同様に基地局情報を受信し（Ｓ５１）、基地局ＩＤが変化したかどうかをチェックする（Ｓ５２）。一定の閾値以上の期間、設定基地局ＩＤ▲２▼にいた場合は（Ｓ５３、Ｓ５４）、移動したと判断しメールを送信する（Ｓ５５）。ただし、受信基地局ＩＤが変更した際に設定基地局ＩＤ▲１▼、▲２▼以外の場所に一定の閾値以上の期間いた場合は（Ｓ５６）、以前設定基地局ＩＤ▲１▼にいたという情報を無効とし、再度ＰＨＡＳＥ１に戻り監視をし直す（Ｓ５７）。
【００２３】
次に、ユーザーの設定方法について説明する。ユーザーの設定、操作方法としてはユーザーがメール送信に対応する移動中に設定開始させる。図６（ａ）に示すように、例えばメニューＸＸ番（図示せず）に自動メール送信機能を割り当て、ユーザーが図２（ａ）の操作パネル１０４から液晶ディスプレイ１０５に表示された「送信タイミング設定開始」を選択することにより、メモリ１０５にこれを設定する。
【００２４】
ユーザーはそのまま移動を続け、その間携帯電話端末は基地局ＩＤを監視し続け、上述した送信条件の判断を満たした場合、その時刻、基地局ＩＤを保存し再度監視状態に入る。ユーザーは移動が完了した時点で設定終了する。例えば、「送信タイミング設定開始」を設定中は、「送信タイミング設定開始」の代わりに「送信タイミング設定完了」を図６（ｂ）のように表示させ、これを選択することにより「送信タイミング設定完了」を設定する。その設定中に検出した基地局ＩＤの切り替わりタイミングの時刻を表示する。例えば、「送信タイミング設定完了」を設定したあとに、図６（ｃ）のような画面すなわち、送信条件の判断に基づき検出された候補１〜Ｘ番とそれに対応する時刻を表示させ、ユーザーがその候補の中から１つ選択することにより、それに該当した移動元の基地局ＩＤ▲１▼と移動先の基地局ＩＤ▲２▼が設定される。ユーザーはその設定を元にメールの定型文、送信スケジュール（曜日、時間帯等）を設定し自動メール送信機能をＯＮにしていれば特定の移動の際に、あらかじめ登録した宛先に自動的にメールを送信することができる。
【００２５】
次に、本発明の第２の実施の形態を説明する。この場合携帯電話端末には、図示しないＧＰＳシステムに連動するＧＰＳ機能を備える。このＧＰＳ機能および以下に示す構成以外は第１の実施の形態で示したものと同様なので、図示を省略する。
【００２６】
携帯通信端末の中央制御部は、第１の実施の形態と同様に、送信タイミング設定部と、移動推移判定部と、メール送信制御部とを備える。送信タイミング設定部は、メールの自動送信を行うための送信条件として移動元出発地点の位置情報，移動先送信地点の位置情報およびメールの送信タイミングを設定する。移動推移判定部は、自動メール送信機能を有効とした場合に起動し、ＧＰＳシステムから受信する位置情報を保存し、移動時に位置情報を受信するたびに保存してある位置情報と比較し、異なっている場合は移動元出発地点に所定の閾値期間いたことを確認後、ＧＰＳシステムから受信する位置情報の変化をチェックし、移動先送信地点の位置情報が所定の閾値期間を超えたことを検出したとき、自携帯通信端末の移動先送信地点への移動が完了したと判断する。メール送信制御部は、移動推移判定部の移動完了判断により、あらかじめ登録した定型文メールを所定の宛先に自動送信する。
【００２７】
次に、第２の実施の形態の動作を説明する。基本的な動作の流れは第１の実施の形態と同様なので図示を省略する。
【００２８】
始めに、メールの自動送信を行うための送信条件として移動元出発地点の位置情報，移動先送信地点の位置情報およびメールの送信タイミングを設定する。本動作は、自動メール送信機能を有効とした場合に起動し、ＧＰＳシステムから受信する位置情報を保存し、移動時に位置情報を受信するたびに保存してある位置情報と比較する。比較結果が異なっている場合は移動元出発地点に所定の閾値期間いたことを確認後、ＧＰＳシステムから受信する位置情報の変化をチェックする。移動先送信地点の位置情報が所定の閾値期間を超えたことを検出したとき、自携帯通信端末の移動先送信地点への移動が完了したと判断し、この移動完了判断により、あらかじめ登録した定型文メールを所定の宛先に自動送信する。
【００２９】
この第２の実施の形態の場合、上述した第１の実施の形態の「送信タイミング設定開始を設定」がＡ地点の設定、「送信タイミング設定完了を設定」がＢ地点の設定に対応しており、上述した第１の実施の形態と同様なボタン操作により設定を行う。第２の実施の形態では、ＧＰＳ機能を用いてより正確な箇所でのメール送信を可能とする。
【００３０】
【発明の効果】
以上説明したように本発明によれば、あらかじめ設定しておいた、ある基地局のエリアからある基地局のエリアに移動した場合に、あらかじめ用意しておいた定型文メールを、あらかじめ指定してある送信先に携帯電話が自動で送信することにより、特定のパターンに当てはまるもの、例えば帰宅の連絡など日常行っているメール送信動作を、連絡が遅れたり、忘れることなく確実に実行することができ利便性を向上させることができる。
【図面の簡単な説明】
【図１】携帯電話端末の移動と基地局の推移の例を説明するための図である。
【図２】（ａ）は本発明の第１の実施の形態における携帯電話端末のブロック図である。（ｂ）は（ａ）における中央制御部で本発明に係わる要部を示すブロック図である。
【図３】（ａ）は図１における移動元基地局、移動先基地局およびメールの送信タイミングを説明するための図である。（ｂ）は図１における経路Ａでの携帯電話端末の移動推移を説明するための図である。（ｃ）は図１における経路Ｂでの携帯電話端末の移動推移を説明するための図である。
【図４】携帯電話端末での移動判断（ＰＨＡＳＥ１）を示すフロー図である。
【図５】携帯電話端末での移動判断（ＰＨＡＳＥ２）を示すフロー図である。
【図６】（ａ）はユーザーのメール送信タイミング設定開始を説明するための図である。（ｂ）はユーザーのメール送信タイミング設定完了を説明するための図である。（ｃ）はユーザーのメール送信タイミング選択を説明するための図である。
【符号の説明】
１０　　携帯電話端末
２０，２１，２２　　基地局
３０，３１，３２　　無線エリア
１０１　　アンテナ
１０２　　無線部
１０３　　メモリ
１０４　　操作パネル
１０５　　液晶ディスプレイ
１０６　　スピーカ
１０７　　中央制御部
１０７１　　送信タイミング設定部
１０７２　　移動推移判定部
１０７３　　メール送信制御部
【図１】
2004147217.tif 000003
【図２】
2004147217.tif 000004
【図３】
2004147217.tif 000005
【図４】
2004147217.tif 000006
【図５】
2004147217.tif 000007
【図６】
2004147217.tif 000008